(57)【要約】【課題】吸水性や柔軟性などタオル地本来の特性を備えつつ、強靭性や抗菌性、速乾性をも兼備し得るタオル地と、該タオル地を使用した担架の提供を図る。【解決手段】本発明に係るタオル地１は、化学繊維で形成される縦糸１１と天然繊維若しくは化学繊維で形成される横糸１２とでメッシュ状に織り上げられる下地材１０の表面地１４と裏面地１５の少なくとも何れか一方の片面地に、天然繊維で形成されるループパイル糸１３を起毛させた状態でループ状に編み込むことでパイル１８が形成されて成るタオル地１である。また、本発明に係るタオル地１を使用した担架２０は、矩形に形成されたタオル地１の長手方向両側に、所定間隔を空けて複数の持ち手穴２１が成形されて成る担架２０である。【選択図】図１
2018084003.tif 000002
【特許請求の範囲】
【請求項１】
タオル地本来の特性を備えつつ、強靭性や抗菌性、速乾性をも兼備し得るタオル地であって、
前記タオル地は、化学繊維で形成される縦糸と天然繊維若しくは化学繊維で形成される横糸とでメッシュ状に織り上げられる下地材の表面地と裏面地の少なくとも何れか一方の片面地に、天然繊維で形成されるループパイル糸を起毛させた状態でループ状に編み込むことでパイルが形成されて成ることを特徴とするタオル地。
【請求項２】
前記パイルが、前記下地材の表面地と裏面地の両面地に形成されて成ることを特徴とする請求項１に記載のタオル地。
【請求項３】
前記化学繊維が、ポリオレフィン樹脂、ポリエステル樹脂、ポリアミド樹脂、ナイロン樹脂、アクリル樹脂の何れかから成ることを特徴とする請求項１または請求項２に記載のタオル地。
【請求項４】
前記化学繊維に、抗菌剤が添加されて成ることを特徴とする請求項１乃至３の何れかに記載のタオル地。
【請求項５】
前記天然繊維が、木綿、麻、パルプの何れかから成ることを特徴とする請求項１乃至４の何れかに記載のタオル地。
【請求項６】
前記請求項１乃至５の何れかに記載のタオル地を使用した担架であって、
矩形に形成されたタオル地の長手方向両側に、所定間隔を空けて複数の持ち手穴が成形されて成ることを特徴とするタオル地を使用した担架。
【請求項７】
前記タオル地を使用した担架において、タオル地の長手方向両側を所定の幅分だけ折り返して固着することで厚みを増した当該長手方向両側に持ち手穴が成形されて成ることを特徴とする請求項６に記載のタオル地を使用した担架。
【発明の詳細な説明】
【技術分野】
【０００１】
本発明は、吸水性や柔軟性などタオル地本来の特性を備えつつ、強靭性や抗菌性、速乾性をも兼備し得るタオル地と、該タオル地を使用した担架に関する。
【背景技術】
【０００２】
従来より、縦糸と横糸に化学繊維と天然繊維を使用して抗菌性と柔軟性を備えるタオル地の提案と、縦糸と横糸に化学繊維を使用して強靭性と抗菌性を備える医療用搬送布具等の提案がなされ、公知技術となっている。
【０００３】
上記における抗菌性と柔軟性を備えるタオル地の提案としては、例えば、合成繊維によるナイロンタオル等の刺激感過多、天然繊維による綿タオル等の非刺激感と石鹸泡立ちの悪さ、天然合成繊維の混撚による綿ナイロンタオル等のどちらつかずの不満足感を解消する「浴用ボディタオル」（特許文献１）が提案されている。
【０００４】
しかしながら、上記の「浴用ボディタオル」の提案は、ボディタオルの使用感を改善することを目的とする提案であって、タオル本来の吸水性を備えたものではなく、また、浴用専用であって、多目的に使用するための強靭性を追求する提案ではなかった。
【０００５】
また、天然繊維の肌触りの良さと、化学繊維の泡立ちの良さと、化学繊維の乾き易さと、耐久性とを兼ね備え、浴用ボディタオルなどの洗浄具として好適に使用できるだけではなく、製造が容易であると共に、製造コストの低廉が図られる「編物及び洗浄具」（特許文献２）が提案されている。
【０００６】
しかしながら、上記の「編物及び洗浄具」の提案は、ボディタオルにおける使用感と製造工程におけるコストダウンを改善することを目的とする提案であって、上記同様、タオル本来の吸水性を備えたものでないと共に、多目的に使用するための強靭性を追求する提案ではなかった。
【０００７】
また、強靭性と抗菌性を備える医療用搬送布具の提案としては、担架や救急ベッドなどに用いられる布構造が簡易で安価に製造できる「シーツ」（特許文献３）が提案されている。
【０００８】
しかしながら、上記の「シーツ」の提案は、コットン不織布層と樹脂フィルム層と割布層が積層されて形成されるシーツであることから、各層において複雑な製造工程を必要とする上、それらの織層を積層するには特殊な手法と製造機械を必要とするものであり、また、タオル地のような吸水性を備えるものではなった。
【０００９】
本出願人は、吸水性や柔軟性などといったタオル地の特性に着目しつつ、強靭性や抗菌性、速乾性を兼備させることで該タオル地を安全な緊急用の搬送具など多目的用途に利用することができないものかという着想の下、吸水性や柔軟性などタオル地本来の特性を備えつつ、強靭性や抗菌性、速乾性をも兼備し得るタオル地と、該タオル地を使用した担架を開発し、本発明における「タオル地並びに該タオル地を使用した担架」の提案に至るものである。
【先行技術文献】
【特許文献】
【００１０】
【特許文献１】特開２０００−２７１０３６号公報
【特許文献２】特開２０１０−１９６１９８号公報
【特許文献３】登録実用新案第３１８７９５２号公報
【発明の概要】
【発明が解決しようとする課題】
【００１１】
本発明は、上記問題点に鑑みて為されたもので、吸水性や柔軟性などタオル地本来の特性を備えつつ、強靭性や抗菌性、速乾性をも兼備し得るタオル地と、該タオル地を使用した担架を提供することを課題とする。
【課題を解決するための手段】
【００１２】
上記課題を解決するため、本発明は、タオル地本来の特性を備えつつ、強靭性や抗菌性、速乾性をも兼備し得るタオル地であって、該タオル地は、化学繊維で形成される縦糸と天然繊維若しくは化学繊維で形成される横糸とでメッシュ状に織り上げられる下地材の表面地と裏面地の少なくとも何れか一方の片面地に、天然繊維で形成されるループパイル糸を起毛させた状態でループ状に編み込むことでパイルが形成されて成る手段を採る。
【００１３】
また、本発明は、前記タオル地において、前記パイルが、下地材の表面地と裏面地の両面地に形成されて成る手段を採り得る。
【００１４】
さらに、本発明は、前記タオル地において、化学繊維が、ポリオレフィン樹脂、ポリエステル樹脂、ポリアミド樹脂、ナイロン樹脂、アクリル樹脂の何れかから成る手段を採用し得る。
【００１５】
またさらに、本発明は、前記タオル地において、化学繊維に、抗菌剤が添加されて成る手段を採用し得る。
【００１６】
さらにまた、本発明は、前記タオル地において、天然繊維が、木綿、麻、パルプの何れかから成る手段を採用し得る。
【００１７】
そしてまた、本発明は、前記タオル地を使用した担架であって、矩形に形成されたタオル地の長手方向両側に、所定間隔を空けて複数の持ち手穴が成形されて成る手段を採る。
【００１８】
そしてさらに、本発明は、前記タオル地を使用した担架において、タオル地の長手方向両側を所定の幅分だけ折り返して固着することで厚みを増した当該長手方向両側に持ち手穴が成形されて成る手段を採用し得る。
【発明の効果】
【００１９】
本発明に係るタオル地によれば、縦糸に化学繊維を使用すると共に横糸に天然繊維若しくは化学繊維を使用し、また、ループパイル糸に天然繊維を使用することによって、タオル地本来の吸水性や柔軟性、肌触り性、保湿性を備えつつ、抗菌性や強靭性、耐久性、洗浄性、速乾性、泡立ち性、不皺性などを兼備可能であって、さらには、印刷適性や装飾性、医療適性、収納性、運搬性、リネン性にも優れたタオル地を提供することが可能である、といった優れた効果を奏する。
【００２０】
また、本発明に係るタオル地によれば、ループパイル糸を片面地に起毛させた状態でループ状に編み込むことでパイルが形成されて成る手段を採ることによって、パイルを形成しなかった反対の片面地に広告印刷などの多目的な二次加工がし易くなる、といった優れた効果を奏する。
【００２１】
さらに、本発明に係るタオル地並びに該タオル地を使用した担架によれば、救急搬送時の人体を支える強靭性と、外傷出血による血液や体液の吸水性並びに抗菌性を兼ね備えていることで、医療適性に大変優れた効果を発揮し得る。
【００２２】
またさらに、本発明に係るタオル地並びに該タオル地を使用した担架によれば、圧縮状態での収納性にも優れ、救急搬送車や非常災害備蓄倉庫に真空状態でコンパクトに収納できるため、省スペース化と現場への搬送手段が容易である、といった優れた効果を奏する。
【図面の簡単な説明】
【００２３】
【図１】本発明に係るタオル地の実施形態を示す説明図である。（実施例１）
【図２】本発明に係るタオル地の実施形態を示す説明図である。（実施例１）
【図３】本発明に係るタオル地を使用した担架の実施形態を示す説明図である。（実施例２）
【発明を実施するための形態】
【００２４】
本発明は、タオル地本来の特性を備えつつ、強靭性や抗菌性、速乾性をも兼備し得るタオル地１であって、該タオル地１は、化学繊維で形成される縦糸１１と天然繊維若しくは化学繊維で形成される横糸１２とでメッシュ状に織り上げられる下地材１０の表面地１４と裏面地１５の少なくとも何れか一方の片面地に、天然繊維で形成されるループパイル糸１３を起毛させた状態でループ状に編み込むことでパイルが形成されて成る手段を採用したこと、並びに、該タオル地１に持ち手穴２１を形成して担架２０を構成したことを最大の特徴とする。
以下、本発明に係るタオル地１並びに該タオル地１を使用した担架２０の実施形態を、図面に基づいて説明する。
【００２５】
尚、本発明に係るタオル地１並びに該タオル地１を使用した担架２０は、以下に述べる実施例に限定されるものではなく、本発明の技術的思想の範囲内、すなわち同一の作用効果を発揮できる形状や寸法等の範囲内で、適宜変更することができる。
【実施例１】
【００２６】
図１及び図２は、本発明に係るタオル地１の実施形態を示す説明図であり、図１は片面パイルの場合、図２は両面パイルの場合について示している。
本発明に係るタオル地１は、化学繊維で形成される縦糸１１と天然繊維若しくは化学繊維で形成される横糸１２とでメッシュ状に織り上げられる下地材１０の表面地１４と裏面地１５の少なくとも何れか一方の片面地に、天然繊維で形成されるループパイル糸１３を起毛させた状態でループ状に編み込んで形成されている。
【００２７】
縦糸１１は、化学繊維で形成されている。かかる縦糸１１に化学繊維を用いることで、強靭性や耐久性、洗浄性、速乾性、泡立ち性、不皺性に優れ、また、化学繊維に予め抗菌剤を添加することで、抗菌性を兼備させることが可能となり、医療適性をも兼ね備えたタオル地１の下地材１０を構成させることができる。
【００２８】
縦糸１１に使用される化学繊維の具体的な材質については、特に限定するものではないが、例えばポリオレフィン樹脂、ポリエステル樹脂、ポリアミド樹脂、ナイロン樹脂、アクリル樹脂などが好適で、その他では、ポリエチレン、ポリプロピレン、ポリエチレンテレフタレート、ポリプチレンテレフタレート、ジアセテート、トリアセテート、プロミックス等が使用可能であって、最終的な用途に合わせて適宜決定される。
【００２９】
横糸１２は、天然繊維若しくは化学繊維で形成されている。かかる横糸１２に天然繊維を用いることで、吸水性や柔軟性、肌触り性、保湿性を向上させることができ、逆に横糸１２に化学繊維を用いることで、強靭性や耐久性、洗浄性、速乾性、泡立ち性、不皺性に優れ、また、化学繊維に予め抗菌剤を添加することで、抗菌性を兼備させることが可能となり、医療適性をも兼ね備えたタオル地１の下地材１０を構成させることができる。
【００３０】
横糸１２を化学繊維とした場合の具体的な材質については、前記縦糸１１同様、特に限定するものではなく、例えばポリオレフィン樹脂、ポリエステル樹脂、ポリアミド樹脂、ナイロン樹脂、アクリル樹脂などが好適で、その他では、ポリエチレン、ポリプロピレン、ポリエチレンテレフタレート、ポリプチレンテレフタレート、ジアセテート、トリアセテート、プロミックス等が使用可能であって、最終的な用途に合わせて適宜決定される。
【００３１】
また、横糸１２を天然繊維とした場合の具体的な材質についても特に限定するものではなく、最終的な用途に合わせて適宜決定され、例えば木綿、麻、パルプ等が使用される。
【００３２】
かかる縦糸１１と横糸１２とをメッシュ状に織り上げることで、下地材１０が構成される。このとき、横糸１２の織り合せ構成率や色彩を変えることによって、縦糸１１における化学繊維の特性をより引き出したり、表面地１４や裏面地１５の色合い・模様を容易に変更することが可能となる。
【００３３】
ループパイル糸１３は、天然繊維で形成されている。かかるループパイル糸１３に天然繊維を用いることで、前記下地材１０を構成する縦糸１１や横糸１２が化学繊維であったとしても、吸水性や柔軟性、肌触り性、保湿性といったタオル地本来の機能をそのまま備えることが可能となる。
【００３４】
ループパイル糸１３に使用される天然繊維の具体的な材質については、特に限定するものではなく、吸水性や肌触り性などを考慮して適宜決定されるもので、例えば木綿、麻、パルプ等が使用される。
【００３５】
かかるループパイル糸１３は、前記下地材１０における表面地１４と裏面地１５の少なくとも何れか一方の片面地に起毛させた状態でループ状に編み込まれることで、パイル１８を構成する。このとき、該パイル１８は、一のタオル地１における表面積の略７割を占める割合で形成さる。
尚、図１では表面地１４にのみパイル１８を形成した場合について示しており、図２では表面地１４と裏面地１５の両面地にパイルを形成した場合について示している。
【００３６】
以上の各構成により、本発明に係るタオル地１は完成する。かかるタオル地１によれば、タオル地本来の吸水性や柔軟性、肌触り性、保湿性を備えつつ、抗菌性や強靭性、耐久性、洗浄性、速乾性、泡立ち性、不皺性などを兼備可能であって、さらには、印刷適性や装飾性、医療適性、収納性、運搬性、リネン性にも優れた効果を発揮する。
次に、本発明に係るタオル地１が備える上記機能及び特性について詳述する。
【００３７】
吸収性や柔軟性、肌触り性は、天然繊維から成るループパイル糸１３の起毛量や太さ、形状によって得ることができるもので、また、横糸１２を天然繊維で形成した場合は、当該性能が更に向上する。
【００３８】
保湿性は、上記同様、天然繊維から成るループパイル糸１３の起毛量や太さ、形状によって得ることができるものであるが、縦糸１１や横糸１２に用いられる化学繊維としてアクリル樹脂の素材特性を利用することで、更なる保湿性を保たせることも可能である。
【００３９】
抗菌性は、縦糸１１や横糸１２に用いられる化学繊維に抗菌剤を添加することによって得られ、細菌の付着防止ならびに除菌を容易なものとする。尚、添加される抗菌剤の種類に限定は無いが、例えば耐洗濯性に優れた有機シリコン第四級アンモニウム系抗菌剤や、安全面を考慮して銀や銅、亜鉛などをゼオライトに担持させた無機系抗菌剤などが考え得る。
【００４０】
強靭性及び耐久性は、縦糸１１や横糸１２に用いられる化学繊維による引っ張り強さと耐腐食性によって得られるものである。化学繊維として選択される材質によって適宜強度の変更が可能であるが、概ね何れの材質によっても日常的に使われる荷重の負荷には概ね対応することができる。
【００４１】
洗浄性は、縦糸１１や横糸１２に用いられる化学繊維の特質によって得られるものである。すなわち、化学繊維は表面の密度が細かく吸水性を伴わないため、天然繊維に付着した液体（血液、体液や薬液）のみを洗い落とせば足りる。
【００４２】
速乾性は、上記同様、縦糸１１や横糸１２に用いられる化学繊維の特質によって得られるものである。すなわち、化学繊維は表面の密度が細かく吸水性を伴わないため、乾燥においては吸水性を備える天然繊維のみを乾燥すれば足りることとなり、全てが天然繊維から成る従来のタオル地と比較して、大幅な乾燥時間の短縮が可能となる。この速乾性により、乾燥機の使用による燃料経費や電力経費の削減にも資すると共に、二酸化炭素放出削減にも資することとなる。
【００４３】
泡立ち性は、縦糸１１や横糸１２に用いられる化学繊維によって、空気と洗浄剤の交わりが潤沢に行われることで得られる。
【００４４】
不皺性は、縦糸１１や横糸１２として化学繊維を用いることで、塩素系洗剤を使用することによって起こる天然繊維の縮み、ヨレ、捩じれを抑制することができる。
【００４５】
印刷適性は、下地材１０の片面地にのみパイル１８を形成することによって、パイル１８を形成しなかったもう一方の片面地が平滑面となるため、そこへ印刷文字や色彩を容易に施すことができるもので、例えば広告宣伝用の社名や緊急搬送用の担架の裏地に初動医療行為の手順を印刷したり、その他緊急病院や関連機関の連絡先を印刷したりして、有効に活用することができる。
【００４６】
装飾性は、横糸１２の色彩を変えることによって得られるもので、特に横糸１２に化学繊維を採用することで選択可能な色彩の幅も拡がるため、バラエティに富んだ色合い・模様を表出することが可能であり、例えば子供の好むキャラクターの図柄を表出させるなどして、有効に活用することができる。
【００４７】
医療適性は、上記した本発明に係るタオル地１が有する各機能から派生した特性である。すなわち、吸収性により液体（血液、体液や薬液）を飛散や垂れ流すこと無しに吸収可能であると共に、柔軟性により現場で種々形態を変えて使用することが可能であり、また、肌触り性により接触した者の不快感を無くし、抗菌性により細菌の付着防止ならびに除菌を容易なものとし、強靭性により担架としての使用など人体や重量物の運搬が可能となり、耐久性及び洗浄性により洗濯しての繰り返しの使用が可能であることから、医療現場での使用における種々適性がそろっているといえる。
【００４８】
収納性及び運搬性は、上記の通り本発明に係るタオル地１が柔軟性を備えていることから、折り畳んだり筒状に丸めるなどしてコンパクトな形態を採ることが可能となり、例えば細菌の付着を防止すべく真空パックした状態で医療箱や緊急災害用保管庫にコンパクトに収納しておくことができると共に、運搬スペースも嵩張らなくて済む。
【００４９】
リネン性は、上記した本発明に係るタオル地１が有する各機能から派生した特性である。すなわち、耐久性及び洗浄性により洗濯しての繰り返しの使用が可能であると共に、速乾性により大幅な乾燥時間の短縮が可能であって、乾燥機の使用による燃料経費や電力経費の削減にも資し、さらには、収納性及び運搬性によりコンパクトな形態で収納・運搬の省スペース化が図れることから、リネンサプライ製品として好適である。
【００５０】
以上で構成される本発明に係るタオル地１は、縦糸１１に化学繊維を使用すると共に、横糸１２に天然繊維若しくは化学繊維を使用し、且つ、ループパイル糸１３に天然繊維を使用することによって、上述した吸水性や柔軟性、肌触り性、保湿性、抗菌性、強靭性、耐久性、洗浄性、速乾性、泡立ち性、不皺性、印刷適性、装飾性、医療適性、収納性、運搬性、リネン性を同時に併せ持つもので、従来のタオル地にはない優れた性能を備え、広く多目的用途に使用することが可能である。
【実施例２】
【００５１】
図３は、本発明に係るタオル地１を使用した担架２０の実施形態を示す説明図である。
本発明に係る担架２０は、上記第一の実施形態に係るタオル地１を使用するもので、矩形に形成されたタオル地１の長手方向両側に、所定間隔を空けて複数の持ち手穴２１が成形された構成となっている。
【００５２】
使用されるタオル地１の形状については、矩形であって担架２０としての機能を果たし得る大きさであれば足り、寸法については特に限定はないが、人体用担架を例に採れば、例えば長さ寸法１.６〜２．０ｍ、幅寸法０．８〜１．０ｍの矩形のタオル地１が使用される。
【００５３】
前記タオル地１の長手方向の両側には、所用の間隔を空けて複数の持ち手穴２１が形成されている。かかる持ち手穴２１の形成個数については、特に限定するものではないが、担架２０としての機能上、少なくとも夫々四隅に形成され、好ましくはその中間箇所にも幾つか形成される。なお、図面では、タオル地１の長手方向の一方側に六個、両側合わせて十二個の持ち手穴２１を形成した場合について示している。
【００５４】
該持ち手穴２１は、タオル地１の長手方向側辺から約３０〜８０ｍｍ程度内側に入った箇所において、所定形状にカットするか若しくは切り込みを入れることによって、穴が開口されることで形成される。このとき、必要に応じて開口に対しジグザグ縫いその他の補強構造を施すことも考え得るが、タオル地１自体が強靭性を備えることから、必ずしも補強構造を必要とするものではない。
【００５５】
持ち手穴２１の寸法については、持ち手として機能すべく手が挿入可能な寸法であれば特に限定はないが、例えば長さ寸法１００〜１５０ｍｍ、幅寸法０〜５０ｍｍ程度となる。
【００５６】
ところで、タオル地１の長手方向両側を、所定の幅分だけ折り返して固着する態様も考え得る。ここでいう所定の幅分とは、概ね１００〜２００ｍｍ程度とする。かかる態様を採用することにより、タオル地１における長手方向両側の厚みが増すこととなり、その厚みが増した箇所へ持ち手穴２１が成形されることで、担架２０としての使用に際し持ち手穴２１の充分な強度を確保することが可能となる。
【００５７】
以上の通り構成される本発明に係るタオル地１を使用した担架２０は、少なくとも表面地に天然繊維から成るパイル１８が形成されたタオル地１を担架２０として使用するもので、タオル地１には化学繊維による強靭性が備えられているため人体をはじめ重量物の運搬に耐え、また、パイル１８によって運ばれる患者の血液や体液あるいは使用薬液などを飛散や垂れ流すこと無しに吸収可能であると共に肌触り良く接触した患者の不快感を無くし、タオル地１が柔軟性を備えることから担架２０として以外にも三角巾様使用など種々形態を変えて使用することが可能であり、さらに、タオル地１の抗菌性により患者への細菌感染症の予防に資し、収納性や運搬性も兼備することから医療箱などにコンパクトに収納可能であると共に運搬スペースも嵩張らず救急隊等が複数携行可能であるなど、従来の担架にはない優れた性能を備え、緊急搬送用の担架２０や病院のベットシーツとしてなど、非常災害用の医療用具として広く多目的用途に使用することが可能である。
【産業上の利用可能性】
【００５８】
本発明に係るタオル地は、従来のタオル地と比し、吸水性や柔軟性等において何ら遜色なく使用することができると共に、耐久性や洗浄性、速乾性、収納性、運搬性といったリネン性に富んでいるため、特にリネン用タオルなどのリネンサプライ製品に好適であり、また、強靭性と肌触り性が兼備されていることから、例えば日常生活用品の吊椅子やハンモックなど多目的に使用することができ、さらに、本発明に係るタオル地を使用した担架は、タオル地としての吸水性や肌触り性を活かしつつ強靭性を兼備させることで、緊急搬送用の担架や非常災害用の医療用具として広く多目的用途に使用することが可能であることから、本発明に係る「タオル地並びに該タオル地を使用した担架」の産業上の利用可能性は極めて大であるものと思料する。
【符号の説明】
【００５９】
１    タオル地
１０    下地材
１１    縦糸
１２    横糸
１３    ループパイル糸
１４    表面地
１５    裏面地
１８    パイル
２０    担架
２１    持ち手穴
【図１】
2018084003.tif 000003
【図２】
2018084003.tif 000004
【図３】
2018084003.tif 000005